(57)【特許請求の範囲】
【請求項１】
集約装置による通信の無線方法であって、
ソース装置からのマルチメディアサービスを要求することと、
前記ソース装置が利用可能であるという確認を受信することと、
第１のパス上で前記サービスの第１の記述サブストリームを受信することと、
前記第１のパスを渡って前記第１の記述サブストリームの品質が品質のしきい値よりも少ないときに、前記ソース装置から前記マルチメディアサービスの第２の記述サブストリームを、少なくとも１つの追加パスを渡って受信するように要求することと、ここにおいて、前記品質は、帯域幅容量から取得される、
を備える、方法。
【請求項２】
集約装置ヘルパーを選択することと、
前記集約装置ヘルパーからの中継サービスを要求することと、
前記集約装置ヘルパーが前記中継サービスのために利用可能であるという確認を受信することと、
前記中継サービスのために、前記ソース装置に、前記集約装置ヘルパーに関する情報を伝達することと、
をさらに備える、請求項１に記載の方法。
【請求項３】
前記ソース装置から前記集約装置への、前記集約装置ヘルパーを経由した、前記少なくとも１つの追加パスを確立することと、
前記第１のパスを渡る前記第１の記述サブストリームの前記品質が品質のしきい値よりも少ないときに、前記少なくとも１つの追加パスを渡って前記第２の記述サブストリームを受信することと、
をさらに備える、請求項２に記載の方法。
【請求項４】
前記少なくとも１つの追加パスが、前記集約装置と前記集約装置ヘルパーとの間の帯域外リンクを備える、請求項３に記載の方法。
【請求項５】
前記集約装置ヘルパーの前記選択することが、
前記選択することがなされる１つまたは複数の候補集約装置ヘルパーのセットを発見することと、
前記候補集約装置ヘルパーのリストを維持することと、
をさらに備える、請求項２に記載の方法。
【請求項６】
前記集約装置ヘルパーを前記選択することが基準を備え、前記基準は、受信された搬送波レベル対干渉雑音比（ＣＩＮＲ）、受信された信号強度、送信電力、前記集約装置ヘルパーにおけるトラフィック負荷、前記集約装置ヘルパーに対応したアクセスポイントまたは進化型ノードＢ（ｅＮＢ）におけるトラフィック負荷、あるいは、サービス提供する、かつ隣接したｅＮＢからのダウンリンクチャネルにおける干渉のレベルのうちの少なくとも１つを備える、請求項２に記載の方法。
【請求項７】
前記ソース装置がソースヘルパーを選択するときに、前記少なくとも１つの追加パスを確立するより前に、ソースヘルパーに関する情報を受信することをさらに備える、請求項３に記載の方法。
【請求項８】
前記集約装置ヘルパーに切替表をセットアップするために、前記集約装置ヘルパーと通信することをさらに備え、ここにおいて、前記サービスの第２の記述サブストリームは、前記ソースヘルパーによって、前記集約装置または集約装置ヘルパーのうちの少なくとも１つに送られる、請求項７に記載の方法。
【請求項９】
前記集約装置ヘルパーにおける前記切替表が、
ソースヘルパーのアドレスパラメータと、
集約装置ヘルパーの入力ポートパラメータ、または入仮想パス識別子（incoming virtual path identifier）と、
宛先の集約装置のアドレスパラメータと、
宛先の集約装置の出力ポートパラメータ、または出仮想パス識別子（outgoing virtual path identifier）と、
セッションＩＤと、
を備える、請求項８に記載の方法。
【請求項１０】
ソース装置による通信の無線方法であって、
集約装置からマルチメディアサービスの要求を受信することと、
前記要求に応答して第１のパスを渡って前記サービスの第１の記述サブストリームを送ることと、
前記第１のパスを渡る前記第１の記述サブストリームの品質が品質のしきい値よりも少ないときに、前記ソース装置から前記集約装置に少なくとも１つの追加パスを渡って、前記マルチメディアサービスの第２の記述サブストリームを送るための要求を受信することと、ここにおいて、前記品質は、帯域幅容量から取得される、
を備える、方法。
【請求項１１】
前記集約装置から前記マルチメディアサービスの要求を受信した後に、前記ソース装置が利用可能であるという確認を送ることをさらに備える、請求項１０に記載の方法。
【請求項１２】
ソースヘルパーを選択することと、
前記ソースヘルパーからの中継サービスを要求することと、
集約装置ヘルパーに関する識別情報を受信することと、
前記中継サービスのために、前記ソースヘルパーに、前記集約装置ヘルパーに関する前記識別情報を伝達することと、
をさらに備える、請求項１１に記載の方法。
【請求項１３】
前記中継サービスを要求した後に、前記ソースヘルパーが前記中継サービスのために利用可能であるという確認を受信することをさらに備える、請求項１２に記載の方法。
【請求項１４】
前記ソース装置から前記集約装置への、前記ソースヘルパーを経由した、前記少なくとも１つの追加パスを確立することと、
前記ソースヘルパーを経由して前記ソース装置から前記少なくとも１つの追加パスを渡って、前記サービスの前記第２の記述サブストリームを送ることと、
をさらに備える、請求項１３に記載の方法。
【請求項１５】
前記少なくとも１つの追加パスが、前記ソース装置と前記ソースヘルパーとの間の帯域外リンクを備える、請求項１４に記載の方法。
【請求項１６】
前記ソースヘルパーを選択することが、
前記選択することがなされる１つまたは複数の候補ソースヘルパーのセットを発見することと、
前記候補ソースヘルパーのリストを維持することと、
をさらに備える、請求項１２に記載の方法。
【請求項１７】
ソースヘルパーを選択するための基準が、受信された搬送波レベル対干渉雑音比（ＣＩＮＲ）を決定すること、受信された信号強度を決定すること、送信電力を決定すること、前記集約装置ヘルパーにおけるトラフィック負荷を決定すること、前記集約装置ヘルパーに対応したアクセスポイント（ＡＰ）または進化型ノードＢ（ｅｎＢ）におけるトラフィック負荷を決定すること、サービス提供する、かつ隣接したｅｎＢからのダウンリンクチャネルにおける干渉のレベルを決定することを備える、請求項１２に記載の方法。
【請求項１８】
前記ソース装置が前記ソースヘルパーを選択するときに代替パスを確立するより前に、前記ソースヘルパーに関する情報を受信する前記ソース装置をさらに備える、請求項１４に記載の方法。
【請求項１９】
前記ソースヘルパーに切替表をセットアップするために、前記ソースヘルパーと通信することをさらに備え、ここにおいて、前記サービスの前記第２の記述サブストリームは、前記ソースヘルパーによって、前記集約装置または集約装置ヘルパーのうちの少なくとも１つに送られる、請求項１８に記載の方法。
【請求項２０】
前記ソースヘルパーの切替表が、
ソース装置のアドレスパラメータと、
ソースヘルパーの入力ポートパラメータ、または入仮想パス識別子と、
集約装置ヘルパーのアドレスパラメータと、
集約装置ヘルパーの出力ポートパラメータ、または出仮想パス識別子と、
セッションＩＤと、
を備える、請求項１８に記載の方法。
【請求項２１】
集約装置による通信の無線方法であって、
ソース装置からマルチメディアサービスの配信のためのオファーを受信することと、
前記ソース装置からの前記マルチメディアサービスを要求することと、
第１のパスを渡って前記マルチメディアサービスの第１の記述サブストリームを受信することと、
前記第１の記述サブストリームの品質が品質のしきい値よりも少ないかどうかを決定することと、
前記第１のパスを渡る前記第１の記述サブストリームの前記品質が品質のしきい値よりも少ないときに、前記ソース装置から前記マルチメディアサービスの第２の記述サブストリームを、少なくとも１つの追加パスを渡って受信するように要求することと、ここにおいて、前記品質は、帯域幅容量から取得される、
を備える、方法。
【請求項２２】
前記ソース装置からの前記マルチメディアサービスを要求した後に、前記ソース装置が利用可能であるという確認を受信することをさらに備える、請求項２１に記載の方法。
【請求項２３】
集約装置ヘルパーを選択することと、
前記集約装置ヘルパーからの中継サービスを要求することと、
前記中継サービスのために、前記ソース装置に、前記集約装置ヘルパーに関する情報を伝達することと、
をさらに備える、請求項２１に記載の方法。
【請求項２４】
前記集約装置ヘルパーからの前記中継サービスを要求した後に、前記集約装置ヘルパーが前記中継サービスのために利用可能であるという確認を受信することをさらに備える、請求項２３に記載の方法。
【請求項２５】
前記ソース装置から前記集約装置への、前記集約装置ヘルパーを経由した、前記少なくとも１つの追加パスを確立することと、
前記第１のパスを渡る前記第１の記述サブストリームの前記品質が品質のしきい値よりも少ないときに、前記少なくとも１つの追加パスを渡って、前記サービスの前記第２の記述サブストリームを受信することと、
をさらに備える、請求項２３に記載の方法。
【請求項２６】
前記少なくとも１つの追加パスが、前記集約装置と前記集約装置ヘルパーとの間の帯域外リンクを備える、請求項２５に記載の方法。
【請求項２７】
前記集約装置ヘルパーを選択することが、
前記選択することがなされる１つまたは複数の候補集約装置ヘルパーのセットを発見することと、
前記候補集約装置ヘルパーのリストを維持することと、
をさらに備える、請求項２３に記載の方法。
【請求項２８】
前記集約装置ヘルパーを前記選択することが基準を備え、前記基準は、受信された搬送波レベル対干渉雑音比（ＣＩＮＲ）、受信された信号強度、送信電力、前記集約装置ヘルパーにおけるトラフィック負荷、前記集約装置ヘルパーに対応したアクセスポイントまたは進化型ノードＢ（ｅＮＢ）におけるトラフィック負荷、あるいは、サービス提供する、かつ隣接したｅＮＢからのダウンリンクチャネルにおける干渉のレベルのうちの少なくとも１つを備える、請求項２３に記載の方法。
【請求項２９】
前記ソース装置がソースヘルパーを選択するときに、前記少なくとも１つの追加パスを確立するより前に、ソースヘルパーに関する情報を受信することをさらに備える、請求項２５に記載の方法。
【請求項３０】
前記集約装置ヘルパーに切替表をセットアップするために、前記集約装置ヘルパーと通信することをさらに備え、ここにおいて、前記サービスの第２の記述サブストリームは、前記ソースヘルパーによって、前記集約装置または集約装置ヘルパーのうちの少なくとも１つに送られる、請求項２９に記載の方法。
【請求項３１】
前記集約装置ヘルパーにおける前記切替表が
ソースヘルパーのアドレスパラメータと、
集約装置ヘルパーの入力ポートパラメータ、または入仮想パス識別子と、
宛先の集約装置のアドレスパラメータと、
宛先の集約装置の出力ポートパラメータ、または出仮想パス識別子と、
セッションＩＤと、
を備える、請求項２９に記載の方法。
【請求項３２】
ソース装置による通信の無線方法であって、
マルチメディアサービス配信のオファーを集約装置に送ることと、
前記マルチメディアサービスを要求することによって、前記オファーを受諾する前記集約装置からの応答を受信することと、
前記ソース装置が利用可能であるという確認を送ることと、
前記要求に応答して第１のパスを渡って前記マルチメディアサービスの第１の記述サブストリームを送ることと、
前記第１のパスを渡る前記第１の記述サブストリームの品質が品質のしきい値よりも少ないときに、前記ソース装置から前記集約装置に少なくとも１つの追加パスを渡って、前記マルチメディアサービスの第２の記述サブストリームを送るための要求を受信することと、ここにおいて、前記品質は、帯域幅容量から取得される、
を備える、方法。
【請求項３３】
ソースヘルパーを選択することと、
前記ソースヘルパーからの中継サービスを要求することと、
集約装置ヘルパーに関する識別情報を受信することと、
前記中継サービスのために、前記ソースヘルパーに、前記集約装置ヘルパーに関する識別情報を伝達することと、
をさらに備える、請求項３２に記載の方法。
【請求項３４】
前記ソースヘルパーからの前記中継サービスを要求した後に、前記ソースヘルパーが前記中継サービスのために利用可能であるという確認を受信することをさらに備える、請求項３３に記載の方法。
【請求項３５】
前記ソース装置から前記集約装置への、前記ソースヘルパーを経由した、前記少なくとも１つの追加パスを確立することと、
前記ソースヘルパーを経由して前記ソース装置から前記少なくとも１つの追加パスを渡って、前記サービスの第２の記述の第２のサブストリームを送ることと、
をさらに備える、請求項３３に記載の方法。
【請求項３６】
前記少なくとも１つの追加パスが、前記ソース装置と前記ソースヘルパーとの間の帯域外リンクを備える、請求項３５に記載の方法。
【請求項３７】
前記ソースヘルパーを選択することが、
前記選択することがなされる１つまたは複数の候補ソースヘルパーのセットを発見することと、
前記候補ソースヘルパーのリストを維持することと、
をさらに備える、請求項３３に記載の方法。
【請求項３８】
ソースヘルパーを選択するための基準が、受信された搬送波レベル対干渉雑音比（ＣＩＮＲ）を決定すること、受信された信号強度を決定すること、送信電力を決定すること、前記集約装置ヘルパーにおけるトラフィック負荷を決定すること、前記集約装置ヘルパーに対応したアクセスポイント（ＡＰ）または進化型ノードＢ（ｅｎＢ）におけるトラフィック負荷を決定すること、サービス提供する、かつ隣接したｅｎＢからのダウンリンクチャネルにおける干渉のレベルを決定することを備える、請求項３３に記載の方法。
【請求項３９】
前記ソース装置が前記ソースヘルパーを選択するときに代替パスを確立するより前に、前記ソースヘルパーに関する情報を受信することをさらに備える、請求項３５に記載の方法。
【請求項４０】
前記ソースヘルパーに切替表をセットアップするために、前記ソースヘルパーと通信することをさらに備え、ここにおいて、前記サービスの第２の記述サブストリームは、前記ソースヘルパーによって、前記集約装置または集約装置ヘルパーのうちの少なくとも１つに送られる、請求項３９に記載の方法。
【請求項４１】
前記ソースヘルパーの切替表が、
ソース装置のアドレスパラメータと、
ソースヘルパーの入力ポートパラメータ、または入仮想パス識別子と、
集約装置ヘルパーの出力アドレスパラメータと、
集約装置ヘルパーの出力ポートパラメータ、または出仮想パス識別子と、
セッションＩＤと、
を備える、請求項３９に記載の方法。
【請求項４２】
集約装置ヘルパーによる通信の無線方法であって、
第１のパスを渡る第１の記述サブストリームの品質が品質のしきい値よりも少ないときに、集約装置からマルチメディアサービス中継の要求を受信することと、ここにおいて、前記品質は、帯域幅容量から取得される、
前記集約装置ヘルパーが利用可能であるという確認を送ることと、
前記集約装置に、前記集約装置ヘルパーに関する識別情報を伝達すること、
を備える、方法。
【請求項４３】
前記集約装置から前記マルチメディアサービス中継の要求を受信した後に、前記集約装置ヘルパーが利用可能であるという確認を送ることをさらに備える、請求項４２に記載の方法。
【請求項４４】
ソース装置から直接前記集約装置へのパスに加えて、前記ソース装置から前記集約装置への、前記集約装置ヘルパーを経由した、少なくとも１つの追加パスを確立することと、
前記集約装置ヘルパーに関して伝達された前記情報に基づき、ソース装置から前記マルチメディアサービスの記述サブストリームを受信することと、
前記集約装置に前記マルチメディアサービスの記述サブストリームを転送することと、ここにおいて、前記集約装置ヘルパーを含む前記パスは、前記ソース装置から直接前記集約装置への前記パスに加わったパスである、
をさらに備える、請求項４３に記載の方法。
【請求項４５】
前記少なくとも１つの追加パスが、前記集約装置と前記集約装置ヘルパーとの間の帯域外リンクを備える、請求項４４に記載の方法。
【請求項４６】
前記少なくとも１つの追加パスを確立することが、前記集約装置ヘルパーに切替表をセットアップすることをさらに備え、ここにおいて、前記サービスの記述サブストリームは前記集約装置に送られる、請求項４３に記載の方法。
【請求項４７】
前記集約装置ヘルパーの切替表が、
ソースヘルパーのアドレスパラメータと、
集約装置ヘルパーの入力ポートパラメータ、または入仮想パス識別子と、
宛先の集約装置のアドレスパラメータと、
宛先の集約装置の出力ポートパラメータ、または出仮想パス識別子と、
セッションＩＤと、
を備える、請求項４６に記載の方法。
【請求項４８】
ソースヘルパーによる通信の無線方法であって、
第１のパスを渡る第１の記述サブストリームの品質が品質のしきい値よりも少ないときに、ソース装置からマルチメディアサービス中継の要求を受信することと、ここにおいて、前記品質は、帯域幅容量から取得される、
前記ソース装置に、前記ソースヘルパーに関する識別情報を伝達することと、
を備える、方法。
【請求項４９】
前記ソースヘルパーが利用可能であるという確認を送ることをさらに備える、請求項４８に記載の方法。
【請求項５０】
前記ソース装置から直接集約装置へのパスに加えて、前記ソース装置から前記集約装置への、前記ソースヘルパーを経由した、少なくとも１つの追加パスを確立することと、
前記ソースヘルパーに関して伝達された前記情報に基づき、前記ソース装置からマルチメディアサービスの記述サブストリームを受信することと、
前記集約装置に前記マルチメディアサービスの記述サブストリームを転送することと、ここにおいて、前記ソースヘルパーを含む前記パスは、前記ソース装置から直接前記集約装置への前記パスに加わったパスである、
をさらに備える、請求項４９に記載の方法。
【請求項５１】
前記少なくとも１つの追加パスが、前記集約装置と集約装置ヘルパーとの間の帯域外リンクを備える、請求項５０に記載の方法。
【請求項５２】
前記少なくとも１つの追加パスを確立することが、前記ソースヘルパーに切替表をセットアップすることをさらに備え、ここにおいて、前記サービスの記述サブストリームは、前記集約装置ヘルパーまたは集約装置のうちの少なくとも１つに送られる、請求項５０に記載の方法。
【請求項５３】
前記ソースヘルパーの切替表が、
ソース装置のアドレスパラメータと、
ソースヘルパーの入力ポートパラメータ、または入仮想パス識別子と、
宛先の集約装置の出力アドレスパラメータと、
宛先の集約装置の出力ポートパラメータ、または出仮想パス識別子と、
セッションＩＤと、
を備える、請求項５２に記載の方法。
【請求項５４】
無線通信のための集約装置であって、
第１のパスを渡るソース装置からのマルチメディアサービスを要求するための手段と、
前記マルチメディアサービスの第１の記述サブストリームを受信するための手段と、
前記第１のパスを渡って受信された前記第１の記述サブストリームの品質が品質のしきい値よりも少ないときに、前記ソース装置から前記マルチメディアサービスの第２の記述サブストリームを、少なくとも１つの追加パスを渡って受信するように要求するための手段と、ここにおいて、前記品質は、帯域幅容量から取得される、
を備える、集約装置。
【請求項５５】
前記ソース装置が利用可能であるという確認を受信した後に、前記ソース装置が利用可能であるという確認を受信するための手段をさらに備える、請求項５４に記載の集約装置。
【請求項５６】
無線通信のためのソース装置であって、
集約装置からマルチメディアサービスの要求を受信するための手段と、
前記要求に応答して第１のパスを渡って前記マルチメディアサービスの第１の記述サブストリームを送るための手段と、
前記第１のパスを渡って送られた前記第１の記述サブストリームの品質が品質のしきい値よりも少ないときに、前記ソース装置から前記集約装置に少なくとも１つの追加パスを渡って、前記マルチメディアサービスの第２の記述サブストリームを送るための要求を受信するための手段と、ここにおいて、前記品質は、帯域幅容量から取得される、
を備える、ソース装置。
【請求項５７】
前記集約装置から前記マルチメディアサービスの要求を受信した後に、前記ソース装置が利用可能であるという確認を送るための手段をさらに備える、請求項５６に記載のソース装置。
【請求項５８】
無線通信のための集約装置であって、
ソース装置からマルチメディアサービス配信のオファーを受信するための手段と、
ソース装置からの前記マルチメディアサービスを要求するための手段と、
第１のパスを渡って前記マルチメディアサービスの第１の記述サブストリームを受信するための手段と、
前記第１のサブストリームの品質が満足できるものかどうかを決定するための手段と、
前記第１のパスを渡って受信された前記第１の記述サブストリームの品質が品質のしきい値よりも少ないときに、前記ソース装置から少なくとも１つの追加パスを渡って、前記マルチメディアサービスの第２の記述サブストリームを受信するように要求するための手段と、ここにおいて、前記品質は、帯域幅容量から取得される、
を備える、集約装置。
【請求項５９】
前記ソース装置からの前記マルチメディアサービスを要求した後に、前記ソース装置が利用可能であるという確認を受信するための手段をさらに備える、請求項５８に記載の集約装置。
【請求項６０】
無線通信のためのソース装置であって、
集約装置にマルチメディアサービス配信のオファーを送るための手段と、
第１のパスを渡って集約装置からマルチメディアサービスの要求を受信するための手段と、
前記要求に応答して前記第１のパスを渡って前記マルチメディアサービスの第１の記述サブストリームを送るための手段と、
前記第１のパスを渡って受信された前記第１の記述サブストリームの品質が品質のしきい値よりも少ないときに、少なくとも１つの追加パスを渡って、前記マルチメディアサービスの第２の記述サブストリームを送るための要求を受信するための手段と、ここにおいて、前記品質は、帯域幅容量から取得される、
を備える、ソース装置。
【請求項６１】
前記集約装置から前記マルチメディアサービスの要求を受信した後に、前記第１のパスが利用可能であるということを確認するための手段をさらに備える、請求項６０に記載のソース装置。
【請求項６２】
無線通信のための集約装置ヘルパーであって、
第１のパスを渡る第１の記述サブストリームの品質が品質のしきい値よりも少ないときに、集約装置からマルチメディアサービス中継の要求を受信するための手段と、ここにおいて、前記品質は、帯域幅容量から取得される、
前記集約装置に前記集約装置ヘルパーに関する識別情報を伝達するための手段と、
を備える、集約装置ヘルパー。
【請求項６３】
前記集約装置から前記マルチメディアサービス中継の要求を受信した後に、前記集約装置ヘルパーが利用可能であるという確認を送るための手段をさらに備える、請求項６２に記載の集約装置ヘルパー。
【請求項６４】
無線通信のためのソースヘルパーであって、
第１のパスを渡る第１の記述サブストリームの品質が品質のしきい値よりも少ないときに、ソース装置からマルチメディアサービス中継の要求を受信するための手段と、ここにおいて、前記品質は、帯域幅容量から取得される、
前記ソース装置に、前記ソースヘルパーに関する識別情報を伝達するための手段と、
を備える、ソースヘルパー。
【請求項６５】
前記ソース装置から前記マルチメディアサービス中継の要求を受信した後に、前記ソースヘルパーが利用可能であるという確認を送るための手段をさらに備える、請求項６４に記載のソースヘルパー。
【請求項６６】
無線集約装置におけるプログラムであって、
ソース装置からのマルチメディアサービスを要求する手順と、
第１のパスを渡って前記マルチメディアサービスの第１の記述サブストリームを受信する手順と、
前記第１のパスを渡って受信された前記第１の記述サブストリームの品質が品質のしきい値よりも少ないときに、前記ソース装置から少なくとも１つの追加パスを渡って前記マルチメディアサービスの第２の記述サブストリームを受信するように要求する手順と、ここにおいて、前記品質は、帯域幅容量から取得される、
をコンピュータに実行させるためのプログラム。
【請求項６７】
前記ソース装置からの前記マルチメディアサービスを要求した後に、前記ソース装置が利用可能であるという確認を受信する手順をさらに備える、請求項６６に記載のプログラム。
【請求項６８】
無線ソース装置におけるプログラムであって、
集約装置からマルチメディアサービスの要求を受信する手順と、
第１のパスを渡って前記マルチメディアサービスの第１の記述サブストリームを送る手順と、
前記第１のパスを渡る前記第１の記述サブストリームの品質が品質のしきい値よりも少ないときに、前記ソース装置から前記集約装置に、少なくとも１つの追加パスを渡って前記マルチメディアサービスの第２の記述サブストリームを送るための要求を受信する手順と、ここにおいて、前記品質は、帯域幅容量から取得される、
をコンピュータに実行させるためのプログラム。
【請求項６９】
前記集約装置から前記マルチメディアサービスの要求を受信した後に、前記ソース装置が利用可能であるという確認を送る手順をさらに備える、請求項６８に記載のプログラム。
【請求項７０】
無線集約装置ヘルパーにおけるプログラムであって、
第１のパスを渡る第１の記述サブストリームの品質が品質のしきい値よりも少ないときに、集約装置からマルチメディアサービス中継の要求を受信する手順と、ここにおいて、前記品質は、帯域幅容量から取得される、
前記集約装置に、前記集約装置ヘルパーに関する識別情報を伝達する手順と、
パスを渡って前記マルチメディアサービスの記述サブストリームを受信する手順と、
前記集約装置に前記マルチメディアサービスの前記記述サブストリームを中継する手順と
をコンピュータに実行させるためのプログラム。
【請求項７１】
前記集約装置から前記マルチメディアサービス中継の要求を受信した後に、前記集約装置ヘルパーが利用可能であるという確認を送る手順をさらに備える、請求項７０に記載のプログラム。
【請求項７２】
無線ソースヘルパーデバイスにおけるプログラムであって、
第１のパスを渡る第１の記述サブストリームの品質が品質のしきい値よりも少ないときに、ソース装置からマルチメディアサービス中継の要求を受信する手順と、ここにおいて、前記品質は、帯域幅容量から取得される、
前記ソース装置に、前記ソースヘルパーに関する識別情報を伝達する手順と、
パスを渡って前記マルチメディアサービスの記述サブストリームを受信する手順と、
集約装置ヘルパーまたは集約装置のうちの少なくとも１つに前記マルチメディアサービスの前記記述サブストリームを中継する手順と
をコンピュータに実行させるためのプログラム。
【請求項７３】
前記ソース装置から前記マルチメディアサービス中継の要求を受信した後に、前記ソースヘルパーが利用可能であるという確認を送る手順をさらに備える、請求項７２に記載のプログラム。
【請求項７４】
無線通信のための集約装置であって、
第１のパスを渡ってソース装置からのマルチメディアサービスを要求し、
前記サービスの第１のサブストリームを受信し、
前記第１のサブストリームの品質が満足できるものかどうかを決定し、ここにおいて、前記品質は、帯域幅容量から取得される、
同じソース装置から少なくとも１つの追加パスを渡って前記マルチメディアサービスを受信するように要求する
ように構成される処理システム
を備える、装置。
【請求項７５】
プロセッサが、前記第１のパスを渡って前記ソース装置からの前記マルチメディアサービスの要求の後に、前記ソース装置が利用可能であるという確認を受信するようにさらに構成される、請求項７４に記載の装置。
【請求項７６】
無線通信のためのソース装置であって、
集約装置からマルチメディアサービスの要求を受信し、
前記要求に応答して第１のパスを渡って第１のサブストリームを送り、
前記第１のパスを渡って送られた第１の記述サブストリームの品質が品質のしきい値よりも少ないときに、前記ソース装置から前記集約装置に少なくとも１つの追加パスを渡って、前記マルチメディアサービスの第２の記述サブストリームを送るための要求を受信する、ここにおいて、前記品質は、帯域幅容量から取得される、
ように構成される処理システム、
を備える、ソース装置。
【請求項７７】
前記処理システムが、前記集約装置から前記マルチメディアサービスの要求を受信した後に、前記ソース装置が利用可能であるという確認を送るようにさらに構成される、請求項７６に記載のソース装置。
【請求項７８】
無線通信のための集約装置ヘルパー装置であって、
第１のパスを渡る第１の記述サブストリームの品質が品質のしきい値よりも少ないときに、集約装置からマルチメディアサービス中継の要求を受信し、ここにおいて、前記品質は、帯域幅容量から取得される、
前記集約装置に、前記集約装置ヘルパーに関する識別情報を伝達し、
パスを渡って前記マルチメディアサービスの記述サブストリームを受信し、
前記集約装置に前記マルチメディアサービスの前記記述サブストリームを中継する
ように構成される処理システム、
を備える、集約装置ヘルパー装置。
【請求項７９】
前記処理システムが、前記集約装置から前記マルチメディアサービス中継の要求を受信した後に、前記集約装置ヘルパーが利用可能であるという確認を送るようにさらに構成される、請求項７８に記載の集約装置ヘルパー装置。
【請求項８０】
無線通信のためのソースヘルパー装置であって、
第１のパスを渡る第１の記述サブストリームの品質が品質のしきい値よりも少ないときに、ソース装置からマルチメディアサービス中継の要求を受信し、ここにおいて、前記品質は、帯域幅容量から取得される、
前記ソースヘルパーが利用可能であるという確認を送り、
前記ソース装置に、前記ソースヘルパーに関する識別情報を伝達し、
パスを渡って前記マルチメディアサービスの記述サブストリームを受信し、
集約装置ヘルパーまたは集約装置のうちの少なくとも１つに、前記マルチメディアサービスの前記記述サブストリームを中継する
ように構成される処理システム、
を備える、ソースヘルパー装置。
【請求項８１】
前記処理システムが、前記ソース装置から前記マルチメディアサービス中継の要求を受信した後に、前記ソースヘルパーが利用可能であるという確認を送るようにさらに構成される、請求項８０に記載のソースヘルパー装置。
【発明の詳細な説明】
【技術分野】
【０００１】
本発明は、通信ネットワークに、より具体的には、無線ネットワークにおける携帯マルチメディアサービスに関する。
【背景技術】
【０００２】
アクセスリンクは、ＷＷＡＮ（無線広域ネットワーク）の障害に度々なりうる。現在、携帯デバイス上のマルチメディアアプリケーションは、ますますＷＷＡＮのアクセスリンクに、より高いトラフィック負荷をもたらし、トラフィック輻輳（traffic congestion）を生じさせ、不満足なユーザ経験（user experience）を引き起こす。アクセスリンクの容量は、物理的なチャネル条件、サービス加入に基づいてオペレータによって課せられる最大ビットレート、サービス提供セル（serving cell）におけるトラフィック負荷、およびその他を含む、多くの制約を条件としている。１次ノードのアクセスリンクの容量が一度に限定されうる一方で、１次はそのアクセス容量を強化するのを助けるために、共同ノードを使用することができうる。より明確には、１次ノードと共同ノードとの間の帯域外リンク（out of band link）は、共同ノードのアクセスリンクと接続して、１次ノードのトラフィックに、ＷＷＡＮへの代替パスを提供しうる。そのため、多重パスは、ソースとその宛先との間に確立されることができる。そのような多重パスは、携帯マルチメディアアプリケーションに重要かつ十分な容量強化を提供するために、多重記述コーディング（Multiple Description Coding）によって必然的に利用されることができる。
【発明の概要】
【０００３】
本開示の様態では、宛先デバイスの集約装置（destination device aggregator）による通信の無線方法は、第１のパスを渡ってソースからのマルチメディアサービスを要求することと、そのソースが利用可能であるという確認（confirmation）を受信することと、そのサービスの第１のサブストリームを受信することとを含む。方法は、第１のサブストリームの品質が満足できるものかどうかを決定することと、同じソースから少なくとも１つの追加パスを渡ってマルチメディアサービスを受信するように要求することとを含む。
【０００４】
本開示の様態では、ソースデバイスによる通信の無線方法は、第１のパスを渡ってエンドデバイスの集約装置（end device aggregator）からマルチメディアサービスの要求を受信することと、そのソースが利用可能であるという確認を送ることと、その要求に応答して第１のパスを渡って第１のサブストリームを送ることとを含む。方法は、同じソースからエンドデバイスの集約装置への少なくとも１つの追加パスを渡って、マルチメディアサービスを送るための要求を受信することを含む。
【０００５】
本開示の様態では、エンドデバイスの集約装置による通信の無線方法は、ソースからマルチメディアサービス配信のオファー（offer）を受信することと、第１のパスを渡ってソースからのマルチメディアサービスを要求することと、第１のパスが利用可能であるという確認を受信することと、サービスの第１のサブストリームを受信することとを含む。方法は、第１のサブストリームの品質が満足できるものかどうかを決定することと、同じソースから少なくとも１つの追加パスを渡ってマルチメディアサービスを受信するように要求することとを含む。
【０００６】
本開示の様態では、ソースデバイスによる通信の無線方法は、集約装置にマルチメディアサービス配信のオファーを送ることと、第１のパスを渡って集約装置からマルチメディアサービスの要求を受信することと、第１のパスが利用可能であるという確認を送ることとを含む。方法は、その要求に応答して第１のパスを渡って第１のサブストリームを送ることと、同じソースから集約装置に少なくとも１つの追加パスを渡ってマルチメディアサービスを送るための要求を受信することとを含む。
【図面の簡単な説明】
【０００７】
【図１】本開示に従った一般的なＭＭＳ−ＭＤＣアーキテクチャを例示する図。
【図２】ＭＭＳ−ＭＤＣの１つの実例的なケースを例示する図。
【図３】ＭＭＳ−ＭＤＣの第２の実例的なケースを例示する図。
【図４】切替表（switching table）の構成の実施形態を例示する図。
【図５】図４に例示される切替表を確立するために使用されることができる実例的なプロトコルを例示する図。
【図６】単独のヘルパーのみがソースヘルパーであるとき、図４の切替表を確立するために使用されうるデジェネレイトプロトコル（degenerate protocol）を例示する図。
【図７】単独のヘルパーのみが集約装置ヘルパーであるとき、図４の切替表を確立するために使用されうるデジェネレイトプロトコルを例示する図。
【図８】逆ＭＤＣプロトコルの実施形態を例示する図。
【図９】集約装置による集約装置ヘルパーの構成、および集約装置ヘルパーによるソースヘルパーの構成を例示する図。
【図１０】処理システムを用いる装置のためのハードウェアの実施の例を例示するブロック図。
【詳細な説明】
【０００８】
添付の図面に関連して以下に述べられる詳細な説明は、様々な構成の説明として意図されており、ここに説明される概念が実現されうる構成のみを表すように意図されていない。詳細な説明は、様々な概念の完全な理解を提供する目的で特定の詳細を含む。しかしながら、これらの概念がこれらの特定の詳細なしに実現されうることは当業者には明らかだろう。いくつかの事例では、そのような概念を曖昧にすることを避けるために、周知の構造およびコンポーネントが、ブロック図の形態で示される。
【０００９】
通信システムのいくつかの態様が、次に、様々な装置および方法を参照して提示されることになる。これらの装置および方法は、以下の詳細な説明において説明され、添付の図面において、様々なブロック、モジュール、コンポーネント、回路、ステップ、プロセス、アルゴリズム等（集合的に「エレメント」と呼ばれる）によって例示されることになる。これらのエレメントは、電子ハードウェア、コンピュータソフトウェア、またはこれらのあらゆる組み合わせを使用して実施されうる。そのようなエレメントがハードウェアまたはソフトウェアとして実施されるかどうかは、具体的なアプリケーションおよび全体的なシステムに課せられた設計の制約に依存する。
【００１０】
例として、エレメントまたはエレメントのいずれか一部、あるいはエレメントのあらゆる組み合わせは、１つまたは複数のプロセッサを含む「処理システム」を用いて実施されうる。プロセッサの例は、本開示全体を通して説明される様々な機能を行うように構成された、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲート論理、離散ハードウェア回路、および他の適したハードウェアを含む。処理システムにおける１つまたは複数のプロセッサは、ソフトウェアを実行しうる。ソフトウェアは、ソフトウェア、ファームウェア、ミドルウェア、マイクロコード、ハードウェア記述言語、または別の方法で呼ばれるかどうかに関わらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行のスレッド、手順、関数等を意味すると広く解釈される。ソフトウェアは、コンピュータ可読媒体に存在しうる。コンピュータ可読媒体は、非一時的なコンピュータ可読媒体でありうる。非一時的なコンピュータ可読媒体は、例として、コンピュータによってアクセスおよび読み取られうるソフトウェアおよび／または命令を記憶するための、磁気記憶デバイス（例えば、ハードディスク、フロッピー（登録商標）ディスク、磁気ストリップ）、光学ディスク（例えば、コンパクトディスク（ＣＤ）、デジタル多用途ディスク（ＤＶＤ））、スマートカード、フラッシュメモリデバイス（例えば、カード、スティック、キードライブ）、ランダムアクセスメモリ（ＲＡＭ）、読取専用メモリ（ＲＯＭ）、プログラマブルＲＯＭ（ＰＲＯＭ）、消去可能なＰＲＯＭ（ＥＰＲＯＭ）、電気的消去可能なＰＲＯＭ（ＥＥＰＲＯＭ）、レジスタ、リムーバブルディスク、およびあらゆる他の適した媒体を含みうる。コンピュータ可読媒体は、処理システム内に存在、処理システムの外部に存在、または処理システムを含むマルチプルなエンティティにわたって分散されうる。コンピュータ可読媒体は、コンピュータプログラム製品において具現化されうる。例として、コンピュータプログラム製品は、パッケージングマテリアル内のコンピュータ可読媒体を含みうる。
【００１１】
マルチメディアサービスは、エンドユーザにコンテンツを配信するいかなるサービスでありうる。そのようなコンテンツの例は、ストリーミングビデオ、映像を備えるデータ（data comprising imagery）、データ等を含みうる。基準は、品質のしきい値レベルを満たすと同時に、コンテンツの配信を求めうる（apply for）。開示されるものは、多重記述コーディングを用いた携帯マルチメディアサービス（ＭＭＳ−ＭＤＣ）のためのアーキテクチャ、およびマルチメディアストリームのソースと宛先との間の多重パスを確立および管理するためのプロトコルのセットである。そのような多重パスが確立されると、同じマルチメディアストリームの多重記述は、携帯マルチメディアアプリケーションの性能が強化されるように、単一のソースと宛先のペアとの間を別々に異なるパスを通って流れることができる。開示されるアーキテクチャおよびプロトコルから利益を得ることができるいくつかのアプリケーションは、３Ｇの通じた携帯デバイスによって要求されるビデオオンデマンドサービス、ライブカメラフィード（live camera feed）、ビデオ会議等を含む。
【００１２】
開示されるアーキテクチャおよびプロトコルの様態のいくつかは、（１）ＭＤＣストリームおよび逆ＭＤＣストリームの両方のためのＭＭＳ−ＭＤＣマルチパスアーキテクチャ、（２）ＭＤＣストリームのソースおよび集約装置のためのヘルパーノードの発見の方法、（３）ＭＤＣストリームのためのマルチパス確立アーキテクチャおよびプロトコル、（４）マルチパス状態報告およびヘルパーノードの再選択スキーム、（５）ＭＭＳ−ＭＤＣマルチパスアーキテクチャに基づくマルチパス同期スキーム、を含む。
【００１３】
ＭＭＳ−ＭＤＣアーキテクチャ
ＭＤＣストリーミングセッションでは、関連するノードデバイスは様々な役割を有しうる。例えば、それがストリーミングセッションのトラフィックのソースである場合、ノードはソースでありうる。それがストリーミングセッションのトラフィックの宛先である場合、ノードは集約装置でありうる。それがソースによって選択された共同ノードである場合、ノードはソースヘルパーでありうる。それが集約装置によって選択された共同ノードである場合、ノードは集約装置ヘルパーでありうる。ヘルパーを含む1つまたは複数のパスの使用によって、ソースと集約装置との間の1つまたは複数の中継サービスがパス上に確立されうる。
【００１４】
ＭＤＣサービスの開始のために、ノードデバイスは様々な役割を有しうる。例えば、それがＭＤＣサービスを要求する場合、ノードはイニシエータでありうる。それがＭＤＣサービスの要求に応答する場合、ノードはターゲットでありうる。
【００１５】
ＭＤＣセッションの例示的なアプリケーションは、３Ｇネットワーク上でノード（例えば、携帯デバイス）によって要求されるビデオオンデマンドサービスであり、ここにおいて携帯デバイスはまた、このサービスを受信するのを補助するためのデータカードを持つラップトップのような、別の３Ｇデバイス（つまり、ヘルパー）を識別する。クラウドにおけるコンテンツサーバは、２つの記述、つまり、Ｄ１を直接携帯デバイスに、Ｄ２をヘルパーを経由して、ストリームし、要求側携帯デバイスは、より良いＱｏＥ（Quality of Experience：体感品質）を取得するために、Ｄ１とＤ２を結合する（集約する）。
【００１６】
逆ＭＤＣセッションは、ソースがイニシエータであるストリーミングセッションである。逆ＭＤＣセッションの例示的なアプリケーションは、ノード（例えば、３Ｇ携帯デバイス）が３Ｇネットワーク上のクラウドにおけるノード（例えば、ＰＣ）にライブカメラフィードを提供することを望み、ＰＣがより高いＱｏＥを受信するように第２の記述をアップロードするのを「ヘルプする（help）」ために、近くにある別のノード（例えば、別の３Ｇ携帯デバイス）を探すときである。
【００１７】
ＭＤＣおよび逆ＭＤＣの両方が作動しているとき、「会話型」アプリケーションがサポートされうる。ＭＤＣセッションおよび逆ＭＤＣセッションの両方の組み合わせの例示的なアプリケーションは、３Ｇネットワークを渡った携帯ノード間のビデオ呼び出しのような、会話型アプリケーションである。
【００１８】
ＭＤＣストリームのためのマルチパス確立アーキテクチャおよびプロトコル
本開示のいくつかの様態に従ったＭＭＳ−ＭＤＣアーキテクチャ１００の１つの例が図１に例示される。ソース１１０は、1次パス１０１によって集約装置１２０と通信して連結される。連結することは、インターネットのようなＷＡＮを経由して１つまたは複数のアクセスリンク１３０を通した接続を含みうる。さらに、ヘルパーを経由したソース１１０と集約装置１２０との間の１つまたは複数の代替パスが存在しうる。すなわち、ソース１１０は、ＭＤＣの目的のために１つまたは複数のソースヘルパー１１５のセットを選択することができ、集約装置はＭＤＣの目的のために１つまたは複数の集約装置ヘルパー１２５のセットを選択することができる。
【００１９】
ソース１１０、集約装置１２０、およびそれらのそれぞれのヘルパー１１５、１２５は、インターネットのようなＷＡＮにアクセスするためにアクセスリンク１３０を使用しうる。アクセスリンク１３０は、無線または有線でありうる。例えば、アクセスリンク１３０は、３Ｇセルラネットワークの一部分としての基地局への無線エアインターフェースでありうる。代わりとして、地上のアクセスリンク１３０は、ケーブルモデムまたはＤＳＬ、あるいはＷＡＮ／インターネットクラウドへのあらゆる適したリンクを使用しうる。
【００２０】
さらに、ソース１１０は、１つまたは複数の帯域外リンクによって、そのソースヘルパー１１５と通信して連結されうる。同様に、集約装置１２０は、１つまたは複数の帯域外リンクによって、その集約装置ヘルパー１２５と通信して連結されうる。ソース１１０とそのソースヘルパー１１５との間の、または集約装置１２０とその集約装置ヘルパー１２５との間の帯域外リンクは、無線または有線でありうる。帯域外リンクの例は、Ｂｌｕｅｔｏｏｔｈ（登録商標）、ＷＬＡＮ、ＵＳＢケーブル等を含みうる。
【００２１】
集約装置１２０およびその様々な集約装置ヘルパー１２５は、ソース１１０とのトランスポートレベルリンク（transport level link）を有しうる。集約装置１２０およびその様々な集約装置ヘルパー１２５は、単一の、またはマルチプルなソースヘルパー１１５とのトランスポートレベルリンクを有しうる。
【００２２】
ソース１１０およびその様々なソースヘルパー１１５は、集約装置１２０とのトランスポートレベルリンクを有しうる。ソース１１０およびその様々なソースヘルパー１１５は、単一の、またはマルチプルな集約装置ヘルパー１２５とのトランスポートレベルリンクを有しうる。
【００２３】
本開示のある様態に従ったＭＭＳ−ＭＤＣサービストランザクション（MMS-MDC service transaction）の２つの典型的な例が、図２および図３に示される。（図２に示される）ケース１では、１つのエンドがインターネットにアクセスし、しきい値の品質を超える品質を取得するのに十分な容量を有しうるため、ＭＭＳ−ＭＤＣサービストランザクション２００は、単一のヘルパー（例えば、ソースヘルパー１１５または集約装置ヘルパー１２５のいずれか）を含む代替パスを含む。（図３に示される）ケース２では、両方のエンドが、しきい値の品質を超える品質を取得するための余剰の帯域幅容量から利益を得ることができるため、ＭＭＳ−ＭＤＣサービストランザクション３００は、ソースヘルパー１１５および集約装置ヘルパー１２５の両方を含む代替パスを含む。
【００２４】
ヘルパーノード（例えば、ソースヘルパー１１５または集約装置ヘルパー１２５）は、必要に応じて、発見および選択されうる。ソース１１０または集約装置１２０のようなノードは、それ自身のための候補ヘルパーのリストを発見および維持することを担う。つまり、ソース１１０はソースヘルパー１１５のリストを発見および維持し、集約装置１２０は集約装置ヘルパー１２５のリストを発見および維持しうる。候補ヘルパーのリストは、サービスに依存して変わり、セッションごとに変わりうる。
【００２５】
デバイスは、そのヘルパーになる候補を選択することができる。１つの例では、ソース１１０はいずれの集約装置ヘルパー１２５も認識することができず、集約装置１２０はいずれのソースヘルパー１１５も認識することができないことがある。ソース１１０および集約装置１２０は、（代替パスが両方のヘルパーを要求するとき）代替パスを確立する前に、それらの選択された（１つまたは複数の）ヘルパーを互いに通知しうる。
【００２６】
ヘルパーノードの発見
以下の基準は、ヘルパーの発見および選択のために使用されることができる。１）チャネル条件の評価：例えばＷｉ−Ｆｉ、および３Ｇ・４Ｇ送信における、受信された搬送波レベル対干渉雑音比（ＣＩＮＲ）；受信された信号強度（Ｗｉ−Ｆｉ、３Ｇ）および送信電力またはＭＣＳ（Ｗｉ−Ｆｉ、３Ｇ／４Ｇ無線）２）トラフィック条件の評価：例えば、Ｗｉ−Ｆｉおよび／または３Ｇ／４Ｇを経由した、ヘルパーノードのトラフィック負荷；例えば、Ｗｉ−Ｆｉおよび／または３Ｇ／４Ｇを経由した、アクセスポイント（ＡＰ）または進化型ノードＢ（ｅＮＢ）のトラフィック負荷；３）（例えば、３Ｇ／４Ｇにあるような）サービス提供する、かつ隣接したｅＮＢからのダウンリンクチャネルにおけるような、干渉の評価。
【００２７】
ソース１１０と集約装置１２０との間の多重パスは、ソースヘルパー１１５および集約装置ヘルパー１２５で切替表をインストールすることによって構成される（つまり、確立される）ことができる。ソース１１０および集約装置１２０は、ＭＤＣデータパケットがヘルパーによって正しいノードに送られることができるように、切替表をセットアップするためにそれらの対応するヘルパーと通信することができる。ヘルパー間のシグナリングは、そのような切替表をセットアップするために必要とされないこともある。
【００２８】
ノードにおける切替表の項目は、入パケット(incoming packet)の以下のパラメータの一般的な組み合わせによって識別されることができる。
【００２９】
・  トランスポートソース１１０アドレス
・  トランスポートソース１１０ポート、またはこのノードによって発行された、入仮想パス識別子（incoming virtual path identifier）
・  トランスポートの宛先（例えば、集約装置１２０）アドレス
・  トランスポートの宛先１２０ポート、またはその宛先によって発行された、出仮想パス識別子（outgoing virtual path identifier）
・  セッションＩＤ
ソース１１０は、例えば、（例えば、サブストリームのような）データのストリームの異なる部分のような、異なる記述を、異なるパスを経由して送ることができる。共通セッション識別子は、多重パス上を流れる多重記述の共通目的を識別するために使用されることができる。集約装置１２０は、続いて、単一のユーザストリームに多重記述のサブストリームを結合することができる。
【００３０】
図４は、ノードにおける切替表の項目が、入力パラメータおよび出力パラメータを用いて構成される、切替表４００の実例的な構成の実施を例示する。入力パラメータは、ソースアドレス４１０、および宛先ポート４２２またはこのノードによって発行された、入仮想パス識別子を含む。出力パラメータは、宛先アドレス４２０、および宛先ポート４２２、またはその宛先によって発行された、出仮想パス識別子を含む。仮想パス識別子は、ＡＴＭおよびＭＰＬＳの文献では周知の概念である。識別子は、識別子を発行する基礎となるノード（underlying node）によって受信するパケットのグループを一意的に識別するために使用され、このパケットのグループを共通の方法で扱い、このパケットのグループを共通の次のホップノード（hop node）に送ることを請け負っている（contracted）。このパケットのグループが次のホップノードに送られるとき、識別子は次のホップノードによって発行される別の識別子に交換されるべきである。この方法では、異なる記述のデータは、ソース１１０から集約装置１２０に異なるパスを渡って、トランスポートされることができる。
【００３１】
例えば、（図４に示されるように）ソース１１０、ソースヘルパー１１５、集約装置１２０、および集約装置ヘルパーを含む、オーバーレイネットワークでセットアップするとき、集約装置１２０のための切替表は、メディアサービスがそこから始まっているソースアドレスsource.addr  ４１０  と、集約装置ポートaggregator.port1または（リンク１を経由して）第１の記述Ｄ１を受信するためのリンク１上の入仮想パス識別子と、（リンク４を経由して）第２の記述Ｄ２を中継する集約装置ヘルパー１２５のアドレスと、第２の入力ポートaggregator.port2  ４２２  または第２の記述Ｄ２を受信するために割り当てられるリンク４上の入仮想パス識別子とを含む、入力アドレス指定情報（input addressing information）を維持する。集約装置が、あらゆるデータを転送するためのこのストリーミングセッションを担っていないので、出力アドレスまたはポート指定のための表の項目はない。
【００３２】
比較すると、集約装置ヘルパー１２５は、入力側に、Ｄ２がそこから到来しているソースヘルパーを識別するためのソースヘルパーアドレスsourcehelper.addrと、対応する集約装置ヘルパーポートaggregator_helper.portまたはソースヘルパー１１５からＤ２を受信するように設定されるリンク３上の入仮想パス識別子とを含む、表を維持する。表の出力側では、集約装置ヘルパーは、Ｄ２を中継するための集約装置１２０のアドレスaggregator.addr ４２０  と、ポートaggregator.port2またはＤ２を受信するために集約装置１２０によって指定されるリンク４  ４２２  上の出仮想パス識別子とを有する。同様の記述は、表の入力側では、Ｄ２がそこから始まるソースアドレス４１０と、ソースヘルパーの入力ポートまたはＤ２を受信するリンク２上の入仮想パス識別子とを識別し、出力側では、集約装置ヘルパー１２５のアドレスと、集約装置ヘルパー１２５のポートまたは中継されたＤ２サブストリームを受信するためのリンク３上の出仮想パス識別子とを識別するためのソースヘルパー１１５に関わる。
【００３３】
図５は、図４に例示される切替表４００を確立するために使用されることができるプロトコル５００の実例的な実施を例示する。プロトコル５００では、集約装置１２０が集約装置ヘルパー１２５で切替表４００を構成する一方で、ソース１１０はソースヘルパー１１５で切替表４００を構成する。図５に例示される例では、集約装置１２０は、ソースアドレス４１０を有するソース１１０からマルチメディアサービスの第１の記述Ｄ１を受信するための要求を出す。集約装置は、集約装置１２０がＤ１のサービス配信を受信するように要求したソース１１０に、集約装置ポート４２２を提供する。集約装置は、Ｄ１、およびＤ１を受信するように指定された集約装置ポート４２２をそこから受信するソースアドレス４１０を識別する入力情報の切替表をセットアップする。
【００３４】
Ｄ１記述ストリームの配信を受信すると、集約装置１２０は、受信されているＤ１記述ストリームの品質が、品質のしきい値を満たすかどうかを決定する。満たさない場合、集約装置１２０は、サービスの第２の記述サブストリームＤ２を要求する。集約装置１２０は、それがソース１１０に送る集約装置ヘルパーアドレスおよび集約装置ヘルパーポート２  ４２２  を取得しながら、Ｄ２記述サブストリームの中継サービスを提供するために、集約装置ヘルパー１２５を発見、要求、および選択しようとする。図５に示されるように、ソース１１０は、ソースヘルパー１１５を発見、要求、および選択し、ソースヘルパー１２５が適切な集約装置ヘルパー１２５および集約装置に、Ｄ２記述サブストリームを中継することを可能にするために、集約装置ヘルパーポートおよび集約装置ヘルパーアドレスについての切替表の項目をソースヘルパー１２５に提供しうる。これを受けてソースヘルパー１１５は、ソース１１５がＤ２記述サブストリームを導くことになるソースヘルパーポートを用いてソースからの要求に応答する。ソース１１０は、ソースヘルパーアドレスを集約装置１２０に転送し、そのソースヘルパーアドレスをその後者は、どこからＤ２記述サブストリームが予期されるかを集約装置ヘルパー１２５が見分けるために、集約装置ヘルパー１２５にある切替表に提供する。一度切替表がセットアップされると、Ｄ２記述サブストリームは、ソース１１０から、ソースヘルパー１１５へ、集約装置ヘルパー１２５へ、そして集約装置１２０へと中継される。
【００３５】
ソースヘルパー１１５のみがあるとき、図４の切替表４００を確立するために使用されることができるデジェネレイトプロトコル６００は、図６に示される例で例示される。プロトコル６００では、ソース１１０がソースヘルパー１１５で切替表４００を構成する一方で、集約装置１２０は利用可能な集約装置ヘルパー１２５の不在の際にそのような責任を何も有さない。図６に例示される呼び出しフロー（call flow）のプロトコルは、図５のそれよりも簡素であるが、要求、応答、およびサブストリーム配信の同様の行程をたどるため、さらに詳しく論じられない。
【００３６】
集約装置ヘルパー１２５のみがあるとき、図４の切替表４００を確立するために使用されることができるデジェネレイトプロトコル７００は、図７に示される例で例示される。プロトコル７００では、集約装置１２０が集約装置ヘルパー１２５で切替表４００を構成する一方で、ソース１１０は利用可能なソースヘルパー１１５の不在の際にそのような責任を何も有さない。図７に例示される呼び出しフローのプロトコルは、図５のそれよりも簡素であるが、要求、応答、およびサブストリーム配信の同様の行程をたどるため、さらに詳しく論じられない。
【００３７】
本開示の別の様態では、逆ＭＤＣセッションは、追加のブートストラッピングステップ（bootstrapping steps）を用いて、ＭＤＣマルチパス確立プロトコルを再利用することができ、そこでは、（１）イニシエータはターゲットにサービスをオファーする逆ＭＤＣの要求を送り、（２）ターゲットは通常通りＭＤＣマルチパス確立プロトコル５００を開始する。図８は逆ＭＤＣプロトコル８００の図である。図８に例示される呼び出しフローのプロトコルは、図５のそれに類似しているため、さらに詳しく論じられない。
【００３８】
本開示の別の様態では、図４の切替表４００を確立するために使用されることができる代替のプロトコル９００が図９に例示され、そこでは、集約装置１２０が集約装置ヘルパー１２５で切替表を構成する一方で、集約装置ヘルパー１２５はソースヘルパー１１５で切替表を構成する。このようなケースは、例えば、両方のヘルパーが、同じアクセスポイントを有するようなインターネットクラウドの集約装置側にあるときに生じうる。図９に例示される呼び出しフローのプロトコルは、図５のそれに類似しているため、さらに詳しく論じられない。
【００３９】
サブストリームの削除は、ヘルパーが集約装置１２０によって要求されたコンテンツをすでに有するとき可能である。集約装置ヘルパー１２５が集約装置１２０によって要求されたコンテンツを有するとき、集約装置１２０はソース１１０に代替の記述のための要求を送る必要はない。同様に、ソースヘルパー１１５が集約装置１２０によって要求されたコンテンツを有するとき、集約装置１２０はソースヘルパー１１５の切替表４００を構成し、ソースヘルパー１１５によって送られるべきサブストリームの記述を識別しうるが、ソースヘルパー１１５にいずれの記述も送らないこともある。
【００４０】
それぞれのパスの安定性、遅延、および遅延ジッタ（delay jitter）は、ＭＤＣストリームの全体的な性能にとって重大である。そのため、必要なときにそれぞれのパスの状態に基づいて、ヘルパーの再選択によってマルチパスを調整することが重要である。以下のステップが、マルチパスを維持するために実施されうる。
【００４１】
状態報告
集約装置１２０は、それぞれのパスの安定性、遅延、および遅延ジッタを監視しうる。集約装置１２０は、１次パスおよび代替パスの両方におけるトラフィック性能を、ソース１１０に報告しうる。集約装置１２０は、ＱｏＥ（Quality of Experience：体感品質）の適合のために、ソース１１０に状態および性能の統計を報告し返しうる。ソース１１０は、ネットワークの状態およびサービスの状態を監視および維持しうる。集約装置１２０およびソース１１０は、サービスの全体的な健全性を維持するために、それら自身の間で連係しうる。
【００４２】
ヘルパーの再選択
サービスの健全性およびヘルパーの利用可能性に依存して、ソース／集約装置ヘルパー１１５／１２５の再選択は、以下のように、時間をかけて必要とされうる。
【００４３】
集約装置１２０は、最初の集約装置ヘルパー１２５が最初の集約装置ヘルパー１２５を選択するために使用される基準において働かないとき、集約装置ヘルパー１２５を再選択しうる。同様に、ソース１１０は、最初のソースヘルパー１１５が最初のソースヘルパー１１５を選択するために使用される基準において働かないとき、ソースヘルパー１１５を再選択しうる。
【００４４】
シームレスパス（seamless path）の切替
シームレスパスの切替を確実にするために、可能な場合、集約装置ヘルパー１２５は集約装置１２０がそれを止めるまで機能し続けうる。同様に、可能な場合、ソースヘルパー１１５は、ソース１１０がそれを止めるまで機能し続けうる。集約装置ヘルパー１２５が変更されるとき、ソース１１０がソースヘルパー１１５に、サブストリームを導き直すためにその切替表４００を更新することを依頼できるように、集約装置１２０はソース１１０に通知するためのメッセージを送るべきである。ソースヘルパー１１５が変更されるとき、集約装置１２０が集約装置ヘルパー１２５に、サブストリームを受信するためのリンクを導き直すためにその切替表４００を更新することを依頼できるように、ソース１１０は集約装置１２０に通知するためのメッセージを送ることができる。
【００４５】
同期
集約装置１２０は、（サブストリームにおける）それぞれの記述の性能を報告し、ソース１１０にフィードバックを送りうる。ソース１１０は、多重パス上で記述を直接に同期しうる。異なるパスの間の遅延差異は、異なるパス上の記述を同期するためにパラメータとして使用されうる。以下の事柄は、同期のためのトリガとして、ソース１１０によって使用されることがある：集約装置１２０で見られる性能問題（performance issues）、集約装置ヘルパー１２５の再選択、およびソースヘルパー１１５の再選択。
【００４６】
図１０は、処理システム１１４を用いる装置１０００のためのハードウェアの実施の例を例示するブロック図である。装置１０００は、ソース１１０、ソースヘルパー１１５、集約装置１２０、集約装置ヘルパー１２５等のうちのいずれかでありうる。この例では、処理システム１０１４は、概してバス１００２によって表されるバスアーキテクチャを用いて実施されうる。バス１００２は、処理システム１０１４の特定のアプリケーションおよび全体的な設計の制約に依存して、任意の数の相互接続バスおよびブリッジを含みうる。バス１００２は、概してプロセッサ１００４によって表される１つまたは複数のプロセッサ、および概してコンピュータ可読媒体１００６によって表されるコンピュータ可読媒体を含む、様々な回路を互いにリンクさせる。バス１００２はまた、タイミングソース、周辺機器、電圧レギュレータ、および電力管理回路のような、様々な他の回路をリンクさせ、このことは、当該技術分野で周知であるため、これ以上説明されない。バスインターフェース１００８は、バス１００２とトランシーバ１０１０との間にインターフェースを提供する。トランシーバ１０１０は、送信媒体上で様々な他の装置と通信するための手段を提供する。装置の性質に依存して、ユーザインターフェース１０１２（例えば、キーパッド、ディスプレイ、スピーカ、マイクロフォン、ジョイスティック）もまた提供されうる。
【００４７】
プロセッサ１００４は、バス１００２を管理すること、およびコンピュータ可読媒体１００６に記憶されるソフトウェアの実行を含む一般的な処理を担う。ソフトウェアは、プロセッサ１００４によって実行されるとき、処理システム１０１４に、任意の具体的な装置に関して以下で説明される様々な機能を行わせる。コンピュータ可読媒体１００６はまた、ソフトウェアを実行するときに、プロセッサ１００４によって操作されるデータを記憶するために使用されうる。
【００４８】
本開示全体を通して提示される様々な概念は、幅広い種類の電気通信システム、ネットワーク、アーキテクチャ、および通信規格に渡って実施されうる。
【００４９】
例として、様々な様態は、ＴＤ−ＳＣＤＭＡ、高速ダウンリンクパケットアクセス（ＨＳＤＰＡ）、高速アップリンクパケットアクセス（ＨＳＵＰＡ）、高速パケットアクセスプラス（ＨＳＰＡ＋）、およびＴＤ−ＣＤＭＡのような、様々なＵＭＴＳシステムに拡大されうる。様々な様態は、（ＦＤＤ、ＴＤＤ、または両方のモードの）ロングタームエボリューション（ＬＴＥ）、（ＦＤＤ、ＴＤＤ、または両方のモードの）ＬＴＥアドバンスト（ＬＴＥ−Ａ）、ＣＤＭＡ２０００、エボリューションデータオプティマイズト（ＥＶ−ＤＯ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、超広帯域（ＵＷＢ）、Ｂｌｕｅｔｏｏｔｈ（登録商標）、および／または他の適したシステムを用いるシステムにもまた拡大されうる。用いられる実際の電気通信規格、ネットワークアーキテクチャ、および／または通信規格は、特定のアプリケーションおよびシステムに課せられた全体的な設計の制約に依存することになる。
【００５０】
開示された方法におけるステップの特定の順序または階層は、例示的なプロセスを例示であると理解されるべきである。設計の選好に基づいて、当該方法におけるステップの特定の順序または階層は再配置されうるということが理解される。添付の方法の請求項は、サンプルの順序で様々なステップのエレメントを提示しており、ここに明確に記載されていない限り、提示された特定の順序または階層に限定されるように意図されない。
【００５１】
先の説明は、当業者がここに説明される様々な態様を実現することを可能にするために提供される。これらの態様への様々な変更は当業者にとって容易に明らかになり、ここに定義される包括的な原理は他の態様に適用されうる。このように、特許請求の範囲は、ここに示される態様に限定されるように意図されず、特許請求の範囲の文言と一貫する最大範囲が与えられるべきであり、ここにおいて、単数形のエレメントへの参照は、そのように明確に述べられていない限りは「１つおよび１つのみ」を意味するのではなく、むしろ「１つまたは複数」を意味するように意図される。他の方法で明確に述べられていない限り、「いくつかの」という用語は、１つまたは複数を指す。アイテムのリストのうちの「少なくとも１つ」を指すフレーズは、単一のメンバーを含む、それらのアイテムのあらゆる組み合わせを指す。例として、「ａ、ｂ、またはｃのうちの少なくとも１つ」は、ａ、ｂ、ｃ、ａとｂ、ａとｃ、ｂとｃ、およびａとｂとｃをカバーするように意図される。当業者にとって既知の、または後に既知となる本開示全体を通して説明される様々な様態のエレメントに対するすべての構成的および機能的な均等物は、ここで参照によって明白に組み込まれ、特許請求の範囲によって包含されるように意図される。さらに、ここに開示されたものは、そのような開示が特許請求の範囲で明示的に記載されているかどうかにかかわらず、公に捧げられるように意図されない。いずれの特許請求の範囲のエレメントも、エレメントが「のための手段」というフレーズを使用して明示的に記載されていない限り、または方法の請求項のケースでは、エレメントが「のためのステップ」というフレーズを使用して記載されていない限り、米国特許法第１１２条６項の規定のもとで解釈されるべきではない。
以下に、本願出願の当初の特許請求の範囲に記載された発明を付記する。
［Ｃ１］
集約装置による通信の無線方法であって、
ソースからのマルチメディアサービスを要求することと、
前記ソースが利用可能であるという確認を受信することと、
第１のパス上で前記サービスの第１の記述サブストリームを受信することと、
前記第１のパスを渡って前記第１の記述サブストリームの品質が品質のしきい値よりも少ないときに、前記ソースから前記マルチメディアサービスの第２の記述サブストリームを、少なくとも１つの追加パスを渡って受信するように要求することと、を備える、方法。
［Ｃ２］
集約装置ヘルパーを選択することと、
前記集約装置ヘルパーからの中継サービスを要求することと、
前記集約装置ヘルパーが前記中継サービスのために利用可能であるという確認を受信することと、
前記中継サービスのために、前記ソースに、前記集約装置ヘルパーに関する情報を伝達することと、をさらに備える、Ｃ１に記載の方法。
［Ｃ３］
前記ソースから前記集約装置への、前記集約装置ヘルパーを経由した、前記少なくとも１つの追加パスを確立することと、
前記第１のパスを渡る前記第１の記述サブストリームの前記品質が品質のしきい値よりも少ないときに、前記少なくとも１つの追加パスを渡って前記第２の記述サブストリームを受信することと、をさらに備える、Ｃ２に記載の方法。
［Ｃ４］
前記少なくとも１つの追加パスが、前記集約装置と前記集約装置ヘルパーとの間の帯域外リンクを備える、Ｃ３に記載の方法。
［Ｃ５］
前記集約装置ヘルパーの前記選択することが、
前記選択することがなされる１つまたは複数の候補集約装置ヘルパーのセットを発見することと、
前記候補集約装置ヘルパーのリストを維持することと、をさらに備える、Ｃ２に記載の方法。
［Ｃ６］
前記集約装置ヘルパーを前記選択することが基準を備え、前記基準は、受信された搬送波レベル対干渉雑音比（ＣＩＮＲ）、受信された信号強度、送信電力、前記集約装置ヘルパーにおけるトラフィック負荷、前記集約装置ヘルパーに対応したアクセスポイントまたは進化型ノードＢ（ｅＮＢ）におけるトラフィック負荷、あるいは、サービス提供する、かつ隣接したｅＮＢからのダウンリンクチャネルにおける干渉のレベルのうちの少なくとも１つを備える、Ｃ２に記載の方法。
［Ｃ７］
前記ソースがソースヘルパーを選択するときに、前記少なくとも１つの追加パスを確立するより前に、ソースヘルパーに関する情報を受信することをさらに備える、Ｃ３に記載の方法。
［Ｃ８］
前記集約装置ヘルパーに切替表をセットアップするために、前記集約装置ヘルパーと通信することをさらに備え、ここにおいて、前記サービスの第２の記述サブストリームは、前記ソースヘルパーによって、前記集約装置または集約装置ヘルパーのうちの少なくとも１つに送られる、Ｃ７に記載の方法。
［Ｃ９］
前記集約装置ヘルパーにおける前記切替表が、
ソースヘルパーのアドレスパラメータと、
集約装置ヘルパーの入力ポートパラメータ、または入仮想パス識別子（incoming virtual path identifier）と、
宛先の集約装置のアドレスパラメータと、
宛先の集約装置の出力ポートパラメータ、または出仮想パス識別子（outgoing virtual path identifier）と、
セッションＩＤと、を備える、Ｃ８に記載の方法。
［Ｃ１０］
ソースによる通信の無線方法であって、
集約装置からマルチメディアサービスの要求を受信することと、
前記要求に応答して第１のパスを渡って前記サービスの第１の記述サブストリームを送ることと、
前記第１のパスを渡る前記第１の記述サブストリームの品質が品質のしきい値よりも少ないときに、前記ソースから前記集約装置に少なくとも１つの追加パスを渡って、前記マルチメディアサービスの第２の記述サブストリームを送るための要求を受信することと、を備える、方法。
［Ｃ１１］
前記集約装置から前記マルチメディアサービスの要求を受信した後に、前記ソースが利用可能であるという確認を送ることをさらに備える、Ｃ１０に記載の方法。
［Ｃ１２］
ソースヘルパーを選択することと、
前記ソースヘルパーからの中継サービスを要求することと、
集約装置ヘルパーに関する識別情報を受信することと、
前記中継サービスのために、前記ソースヘルパーに、前記集約装置ヘルパーに関する前記識別情報を伝達することと、をさらに備える、Ｃ１１に記載の方法。
［Ｃ１３］
前記中継サービスを要求した後に、前記ソースヘルパーが前記中継サービスのために利用可能であるという確認を受信することをさらに備える、Ｃ１２に記載の方法。
［Ｃ１４］
前記ソースから前記集約装置への、前記ソースヘルパーを経由した、前記少なくとも１つの追加パスを確立することと、
前記ソースヘルパーを経由して前記ソースから前記少なくとも１つの追加パスを渡って、前記サービスの前記第２の記述サブストリームを送ることと、をさらに備える、Ｃ１３に記載の方法。
［Ｃ１５］
前記少なくとも１つの追加パスが、前記ソースと前記ソースヘルパーとの間の帯域外リンクを備える、Ｃ１４に記載の方法。
［Ｃ１６］
前記ソースヘルパーを選択することが、
前記選択することがなされる１つまたは複数の候補ソースヘルパーのセットを発見することと、
前記候補ソースヘルパーのリストを維持することと、をさらに備える、Ｃ１２に記載の方法。
［Ｃ１７］
ソースヘルパーを選択するための基準が、受信された搬送波レベル対干渉雑音比（ＣＩＮＲ）を決定すること、受信された信号強度を決定すること、送信電力を決定すること、前記集約装置ヘルパーにおけるトラフィック負荷を決定すること、前記集約装置ヘルパーに対応したアクセスポイント（ＡＰ）または進化型ノードＢ（ｅｎＢ）におけるトラフィック負荷を決定すること、サービス提供する、かつ隣接したｅｎＢからのダウンリンクチャネルにおける干渉のレベルを決定することを備える、Ｃ１２に記載の方法。
［Ｃ１８］
前記ソースが前記ソースヘルパーを選択するときに代替パスを確立するより前に、前記ソースヘルパーに関する情報を受信する前記ソースをさらに備える、Ｃ１４に記載の方法。
［Ｃ１９］
前記ソースヘルパーに切替表をセットアップするために、前記ソースヘルパーと通信することをさらに備え、ここにおいて、前記サービスの前記第２の記述サブストリームは、前記ソースヘルパーによって、前記集約装置または集約装置ヘルパーのうちの少なくとも１つに送られる、Ｃ１８に記載の方法。
［Ｃ２０］
前記ソースヘルパーの切替表が、
ソースのアドレスパラメータと、
ソースヘルパーの入力ポートパラメータ、または入仮想パス識別子と、
集約装置ヘルパーのアドレスパラメータと、
集約装置ヘルパーの出力ポートパラメータ、または出仮想パス識別子と、
セッションＩＤと、を備える、Ｃ１８に記載の方法。
［Ｃ２１］
集約装置による通信の無線方法であって、
ソースからマルチメディアサービスの配信のためのオファーを受信することと、
前記ソースからの前記マルチメディアサービスを要求することと、
第１のパスを渡って前記マルチメディアサービスの第１の記述サブストリームを受信することと、
前記第１の記述サブストリームの品質が品質のしきい値よりも少ないかどうかを決定することと、
前記第１のパスを渡る前記第１の記述サブストリームの前記品質が品質のしきい値よりも少ないときに、前記ソースから前記マルチメディアサービスの第２の記述サブストリームを、少なくとも１つの追加パスを渡って受信するように要求することと、を備える、方法。
［Ｃ２２］
前記ソースからの前記マルチメディアサービスを要求した後に、前記ソースが利用可能であるという確認を受信することをさらに備える、Ｃ２１に記載の方法。
［Ｃ２３］
集約装置ヘルパーを選択することと、
前記集約装置ヘルパーからの中継サービスを要求することと、
前記中継サービスのために、前記ソースに、前記集約装置ヘルパーに関する情報を伝達することと、をさらに備える、Ｃ２１に記載の方法。
［Ｃ２４］
前記集約装置ヘルパーからの前記中継サービスを要求した後に、前記集約装置ヘルパーが前記中継サービスのために利用可能であるという確認を受信することをさらに備える、Ｃ２３に記載の方法。
［Ｃ２５］
前記ソースから前記集約装置への、前記集約装置ヘルパーを経由した、前記少なくとも１つの追加パスを確立することと、
前記第１のパスを渡る前記第１の記述サブストリームの前記品質が品質のしきい値よりも少ないときに、前記少なくとも１つの追加パスを渡って、前記サービスの前記第２の記述サブストリームを受信することと、をさらに備える、Ｃ２３に記載の方法。
［Ｃ２６］
前記少なくとも１つの追加パスが、前記集約装置と前記集約装置ヘルパーとの間の帯域外リンクを備える、Ｃ２５に記載の方法。
［Ｃ２７］
前記集約装置ヘルパーを選択することが、
前記選択することがなされる１つまたは複数の候補集約装置ヘルパーのセットを発見することと、
前記候補集約装置ヘルパーのリストを維持することと、をさらに備える、Ｃ２３に記載の方法。
［Ｃ２８］
前記集約装置ヘルパーを前記選択することが基準を備え、前記基準は、受信された搬送波レベル対干渉雑音比（ＣＩＮＲ）、受信された信号強度、送信電力、前記集約装置ヘルパーにおけるトラフィック負荷、前記集約装置ヘルパーに対応したアクセスポイントまたは進化型ノードＢ（ｅＮＢ）におけるトラフィック負荷、あるいは、サービス提供する、かつ隣接したｅＮＢからのダウンリンクチャネルにおける干渉のレベルのうちの少なくとも１つを備える、Ｃ２３に記載の方法。
［Ｃ２９］
前記ソースがソースヘルパーを選択するときに、前記少なくとも１つの追加パスを確立するより前に、ソースヘルパーに関する情報を受信することをさらに備える、Ｃ２５に記載の方法。
［Ｃ３０］
前記集約装置ヘルパーに切替表をセットアップするために、前記集約装置ヘルパーと通信することをさらに備え、ここにおいて、前記サービスの第２の記述サブストリームは、前記ソースヘルパーによって、前記集約装置または集約装置ヘルパーのうちの少なくとも１つに送られる、Ｃ２９に記載の方法。
［Ｃ３１］
前記集約装置ヘルパーにおける前記切替表が
ソースヘルパーのアドレスパラメータと、
集約装置ヘルパーの入力ポートパラメータ、または入仮想パス識別子と、
宛先の集約装置のアドレスパラメータと、
宛先の集約装置の出力ポートパラメータ、または出仮想パス識別子と、
セッションＩＤと、を備える、Ｃ２９に記載の方法。
［Ｃ３２］
ソースによる通信の無線方法であって、
マルチメディアサービス配信のオファーを集約装置に送ることと、
前記マルチメディアサービスを要求することによって、前記オファーを受諾する前記集約装置からの応答を受信することと、
前記ソースが利用可能であるという確認を送ることと、
前記要求に応答して第１のパスを渡って前記マルチメディアサービスの第１の記述サブストリームを送ることと、
前記第１のパスを渡る前記第１の記述サブストリームの品質が品質のしきい値よりも少ないときに、前記ソースから前記集約装置に少なくとも１つの追加パスを渡って、前記マルチメディアサービスの第２の記述サブストリームを送るための要求を受信することと、を備える、方法。
［Ｃ３３］
ソースヘルパーを選択することと、
前記ソースヘルパーからの中継サービスを要求することと、
集約装置ヘルパーに関する識別情報を受信することと、
前記中継サービスのために、前記ソースヘルパーに、前記集約装置ヘルパーに関する識別情報を伝達することと、をさらに備える、Ｃ３２に記載の方法。
［Ｃ３４］
前記ソースヘルパーからの前記中継サービスを要求した後に、前記ソースヘルパーが前記中継サービスのために利用可能であるという確認を受信することをさらに備える、Ｃ３３に記載の方法。
［Ｃ３５］
前記ソースから前記集約装置への、前記ソースヘルパーを経由した、前記少なくとも１つの追加パスを確立することと、
前記ソースヘルパーを経由して前記ソースから前記少なくとも１つの追加パスを渡って、前記サービスの第２の記述の第２のサブストリームを送ることと、をさらに備える、Ｃ３３に記載の方法。
［Ｃ３６］
前記少なくとも１つの追加パスが、前記ソースと前記ソースヘルパーとの間の帯域外リンクを備える、Ｃ３５に記載の方法。
［Ｃ３７］
前記ソースヘルパーを選択することが、
前記選択することがなされる１つまたは複数の候補ソースヘルパーのセットを発見することと、
前記候補ソースヘルパーのリストを維持することと、をさらに備える、Ｃ３３に記載の方法。
［Ｃ３８］
ソースヘルパーを選択するための基準が、受信された搬送波レベル対干渉雑音比（ＣＩＮＲ）を決定すること、受信された信号強度を決定すること、送信電力を決定すること、前記集約装置ヘルパーにおけるトラフィック負荷を決定すること、前記集約装置ヘルパーに対応したアクセスポイント（ＡＰ）または進化型ノードＢ（ｅｎＢ）におけるトラフィック負荷を決定すること、サービス提供する、かつ隣接したｅｎＢからのダウンリンクチャネルにおける干渉のレベルを決定することを備える、Ｃ３３に記載の方法。
［Ｃ３９］
前記ソースが前記ソースヘルパーを選択するときに代替パスを確立するより前に、前記ソースヘルパーに関する情報を受信することをさらに備える、Ｃ３５に記載の方法。
［Ｃ４０］
前記ソースヘルパーに切替表をセットアップするために、前記ソースヘルパーと通信することをさらに備え、ここにおいて、前記サービスの第２の記述サブストリームは、前記ソースヘルパーによって、前記集約装置または集約装置ヘルパーのうちの少なくとも１つに送られる、Ｃ３９に記載の方法。
［Ｃ４１］
前記ソースヘルパーの切替表が、
ソースのアドレスパラメータと、
ソースヘルパーの入力ポートパラメータ、または入仮想パス識別子と、
集約装置ヘルパーの出力アドレスパラメータと、
集約装置ヘルパーの出力ポートパラメータ、または出仮想パス識別子と、セッションＩＤと、を備える、Ｃ３９に記載の方法。
［Ｃ４２］
集約装置ヘルパーによる通信の無線方法であって、
集約装置からマルチメディアサービス中継の要求を受信することと、
前記集約装置ヘルパーが利用可能であるという確認を送ることと、
前記集約装置に、前記集約装置ヘルパーに関する識別情報を伝達すること、を備える、方法。
［Ｃ４３］
前記集約装置から前記マルチメディアサービス中継の要求を受信した後に、前記集約装置ヘルパーが利用可能であるという確認を送ることをさらに備える、Ｃ４２に記載の方法。
［Ｃ４４］
ソースから直接前記集約装置へのパスに加えて、前記ソースから前記集約装置への、前記集約装置ヘルパーを経由した、少なくとも１つの追加パスを確立することと、
前記集約装置ヘルパーに関して伝達された前記情報に基づき、ソースから前記マルチメディアサービスの記述サブストリームを受信することと、
前記集約装置に前記マルチメディアサービスの記述サブストリームを転送することと、ここにおいて、前記集約装置ヘルパーを含む前記パスは、前記ソースから直接前記集約装置への前記パスに加わったパスである、をさらに備える、Ｃ４３に記載の方法。
［Ｃ４５］
前記少なくとも１つの追加パスが、前記集約装置と前記集約装置ヘルパーとの間の帯域外リンクを備える、Ｃ４４に記載の方法。
［Ｃ４６］
前記少なくとも１つの追加パスを確立することが、前記集約装置ヘルパーに切替表をセットアップすることをさらに備え、ここにおいて、前記サービスの記述サブストリームは前記集約装置に送られる、Ｃ４３に記載の方法。
［Ｃ４７］
前記集約装置ヘルパーの切替表が、
ソースヘルパーのアドレスパラメータと、
集約装置ヘルパーの入力ポートパラメータ、または入仮想パス識別子と、
宛先の集約装置のアドレスパラメータと、
宛先の集約装置の出力ポートパラメータ、または出仮想パス識別子と、セッションＩＤと、を備える、Ｃ４６に記載の方法。
［Ｃ４８］
ソースヘルパーによる通信の無線方法であって、
ソースからマルチメディアサービス中継の要求を受信することと、
前記ソースに、前記ソースヘルパーに関する識別情報を伝達することと、を備える、方法。
［Ｃ４９］
前記ソースヘルパーが利用可能であるという確認を送ることをさらに備える、Ｃ４８に記載の方法。
［Ｃ５０］
前記ソースから直接集約装置へのパスに加えて、前記ソースから前記集約装置への、前記ソースヘルパーを経由した、少なくとも１つの追加パスを確立することと、
前記ソースヘルパーに関して伝達された前記情報に基づき、ソースからマルチメディアサービスの記述サブストリームを受信することと、
前記集約装置に前記マルチメディアサービスの記述サブストリームを転送することと、ここにおいて、前記ソースヘルパーを含む前記パスは、前記ソースから直接前記集約装置への前記パスに加わったパスである、をさらに備える、Ｃ４９に記載の方法。
［Ｃ５１］
前記少なくとも１つの追加パスが、前記集約装置と集約装置ヘルパーとの間の帯域外リンクを備える、Ｃ５０に記載の方法。
［Ｃ５２］
前記少なくとも１つの追加パスを確立することが、前記ソースヘルパーに切替表をセットアップすることをさらに備え、ここにおいて、前記サービスの記述サブストリームは、前記集約装置ヘルパーまたは集約装置のうちの少なくとも１つに送られる、Ｃ５０に記載の方法。
［Ｃ５３］
前記ソースヘルパーの切替表が、
ソースのアドレスパラメータと、
ソースヘルパーの入力ポートパラメータ、または入仮想パス識別子と、
宛先の集約装置の出力アドレスパラメータと、
宛先の集約装置の出力ポートパラメータ、または出仮想パス識別子と、
セッションＩＤと、を備える、Ｃ５２に記載の方法。
［Ｃ５４］
無線通信のための集約装置であって、
第１のパスを渡るソースからのマルチメディアサービスを要求するための手段と、
前記マルチメディアサービスの第１の記述サブストリームを受信するための手段と、
前記第１のパスを渡って受信された前記第１の記述サブストリームの品質が品質のしきい値よりも少ないときに、前記ソースから前記マルチメディアサービスの第２の記述サブストリームを、少なくとも１つの追加パスを渡って受信するように要求するための手段と、を備える、集約装置。
［Ｃ５５］
前記ソースが利用可能であるという確認を受信した後に、前記ソースが利用可能であるという確認を受信するための手段をさらに備える、Ｃ５４に記載の集約装置。
［Ｃ５６］
無線通信のためのソースであって、
集約装置からマルチメディアサービスの要求を受信するための手段と、
前記要求に応答して第１のパスを渡って前記マルチメディアサービスの第１の記述サブストリームを送るための手段と、
前記第１のパスを渡って送られた前記第１の記述サブストリームの品質が品質のしきい値よりも少ないときに、前記ソースから前記集約装置に少なくとも１つの追加パスを渡って、前記マルチメディアサービスの第２の記述サブストリームを送るための要求を受信するための手段と、を備える、ソース。
［Ｃ５７］
前記集約装置から前記マルチメディアサービスの要求を受信した後に、前記ソースが利用可能であるという確認を送るための手段をさらに備える、Ｃ５６に記載のソース。
［Ｃ５８］
無線通信のための集約装置であって、
ソースからマルチメディアサービス配信のオファーを受信するための手段と、
ソースからの前記マルチメディアサービスを要求するための手段と、
第１のパスを渡って前記マルチメディアサービスの第１の記述サブストリームを受信するための手段と、
前記第１のサブストリームの品質が満足できるものかどうかを決定するための手段と、
前記第１のパスを渡って受信された前記第１の記述サブストリームの品質が品質のしきい値よりも少ないときに、前記ソースから少なくとも１つの追加パスを渡って、前記マルチメディアサービスの第２の記述サブストリームを受信するように要求するための手段と、を備える、集約装置。
［Ｃ５９］
前記ソースからの前記マルチメディアサービスを要求した後に、前記ソースが利用可能であるという確認を受信するための手段をさらに備える、Ｃ５８に記載の集約装置。
［Ｃ６０］
無線通信のためのソースであって、
集約装置にマルチメディアサービス配信のオファーを送るための手段と、
第１のパスを渡って集約装置からマルチメディアサービスの要求を受信するための手段と、
前記要求に応答して前記第１のパスを渡って前記マルチメディアサービスの第１の記述サブストリームを送るための手段と、
前記第１のパスを渡って受信された前記第１の記述サブストリームの品質が品質のしきい値よりも少ないときに、少なくとも１つの追加パスを渡って、前記マルチメディアサービスの第２の記述サブストリームを送るための要求を受信するための手段と、を備える、ソース。
［Ｃ６１］
前記集約装置から前記マルチメディアサービスの要求を受信した後に、前記第１のパスが利用可能であるということを確認するための手段をさらに備える、Ｃ６０に記載のソース。
［Ｃ６２］
無線通信のための集約装置ヘルパーであって、
集約装置からマルチメディアサービス中継の要求を受信するための手段と、
前記集約装置に前記集約装置ヘルパーに関する識別情報を伝達するための手段と、を備える、集約装置ヘルパー。
［Ｃ６３］
前記集約装置から前記マルチメディアサービス中継の要求を受信した後に、前記集約装置ヘルパーが利用可能であるという確認を送るための手段をさらに備える、Ｃ６２に記載の集約装置。
［Ｃ６４］
無線通信のためのソースヘルパーであって、
ソースからマルチメディアサービス中継の要求を受信するための手段と、
前記ソースに、前記ソースヘルパーに関する識別情報を伝達するための手段と、を備える、ソースヘルパー。
［Ｃ６５］
前記ソースから前記マルチメディアサービス中継の要求を受信した後に、前記ソースヘルパーが利用可能であるという確認を送るための手段をさらに備える、Ｃ６４に記載のソースヘルパー。
［Ｃ６６］
無線集約装置におけるコンピュータプログラム製品であって、
ソースからのマルチメディアサービスを要求し、
第１のパスを渡って前記マルチメディアサービスの第１の記述サブストリームを受信し、
前記第１のパスを渡って受信された前記第１の記述サブストリームの品質が品質のしきい値よりも少ないときに、前記ソースから少なくとも１つの追加パスを渡って前記マルチメディアサービスの第２の記述サブストリームを受信するように要求する
ためのコードを備える非一時的なコンピュータ可読媒体、を備える、コンピュータプログラム製品。
［Ｃ６７］
前記ソースからの前記マルチメディアサービスを要求した後に、前記ソースが利用可能であるという確認を受信することをさらに備える、Ｃ６６に記載のコンピュータプログラム製品。
［Ｃ６８］
無線ソースにおけるコンピュータプログラム製品であって、
集約装置からマルチメディアサービスの要求を受信し、
第１のパスを渡って前記マルチメディアサービスの第１の記述サブストリームを送り、
前記ソースから前記集約装置に、少なくとも１つの追加パスを渡って前記マルチメディアサービスの第２の記述サブストリームを送るための要求を受信する
ためのコードを備える非一時的なコンピュータ可読媒体、を備える、コンピュータプログラム製品。
［Ｃ６９］
前記集約装置から前記マルチメディアサービスの要求を受信した後に、前記ソースが利用可能であるという確認を送ることをさらに備える、Ｃ６８に記載のコンピュータプログラム製品。
［Ｃ７０］
無線集約装置ヘルパーにおけるコンピュータプログラム製品であって、
集約装置からマルチメディアサービス中継の要求を受信し、
前記集約装置に、前記集約装置ヘルパーに関する識別情報を伝達し、
パスを渡って前記マルチメディアサービスの記述サブストリームを受信し、
前記集約装置に前記マルチメディアサービスの前記記述サブストリームを中継する
ためのコードを備える非一時的なコンピュータ可読媒体、を備える、コンピュータプログラム製品。
［Ｃ７１］
前記集約装置から前記マルチメディアサービス中継の要求を受信した後に、前記集約装置ヘルパーが利用可能であるという確認を送ることをさらに備える、Ｃ７０に記載のコンピュータプログラム製品。
［Ｃ７２］
無線ソースヘルパーデバイスにおけるコンピュータプログラム製品であって、
ソースからマルチメディアサービス中継の要求を受信し、
前記ソースに、前記ソースヘルパーに関する識別情報を伝達し、
パスを渡って前記マルチメディアサービスの記述サブストリームを受信し、
集約装置ヘルパーまたは集約装置のうちの少なくとも１つに前記マルチメディアサービスの前記記述サブストリームを中継する
ためのコードを備える非一時的なコンピュータ可読媒体、を備える、コンピュータプログラム製品。
［Ｃ７３］
前記ソースから前記マルチメディアサービス中継の要求を受信した後に、前記ソースヘルパーが利用可能であるという確認を送ることをさらに備える、Ｃ７２に記載のコンピュータプログラム製品。
［Ｃ７４］
無線通信のための集約装置であって、
第１のパスを渡ってソースからのマルチメディアサービスを要求し、
前記サービスの第１のサブストリームを受信し、
前記第１のサブストリームの品質が満足できるものかどうかを決定し、
同じソースから少なくとも１つの追加パスを渡って前記マルチメディアサービスを受信するように要求する
ように構成される処理システムを備える、装置。
［Ｃ７５］
プロセッサが、前記第１のパスを渡って前記ソースからの前記マルチメディアサービスの要求の後に、前記ソースが利用可能であるという確認を受信するようにさらに構成される、Ｃ７４に記載の装置。
［Ｃ７６］
無線通信のためのソース装置であって、
集約装置からマルチメディアサービスの要求を受信し、
前記要求に応答して第１のパスを渡って第１のサブストリームを送り、
前記第１のパスを渡って送られた第１の記述サブストリームの品質が品質のしきい値よりも少ないときに、前記ソースから前記集約装置に少なくとも１つの追加パスを渡って、前記マルチメディアサービスの第２の記述サブストリームを送るための要求を受信する
ように構成される処理システム、を備える、ソース装置。
［Ｃ７７］
前記処理システムが、前記集約装置から前記マルチメディアサービスの要求を受信した後に、前記ソースが利用可能であるという確認を送るようにさらに構成される、Ｃ７６に記載のソース装置。
［Ｃ７８］
無線通信のための集約装置ヘルパー装置であって、
集約装置からマルチメディアサービス中継の要求を受信し、
前記集約装置に、前記集約装置ヘルパーに関する識別情報を伝達し、
パスを渡って前記マルチメディアサービスの記述サブストリームを受信し、
前記集約装置に前記マルチメディアサービスの前記記述サブストリームを中継する
ように構成される処理システム、を備える、集約装置ヘルパー装置。
［Ｃ７９］
前記処理システムが、前記集約装置から前記マルチメディアサービス中継の要求を受信した後に、前記集約装置ヘルパーが利用可能であるという確認を送るようにさらに構成される、Ｃ７８に記載の集約装置ヘルパー装置。
［Ｃ８０］
無線通信のためのソースヘルパー装置であって、
ソースからマルチメディアサービス中継の要求を受信し、
前記ソースヘルパーが利用可能であるという確認を送り、
前記ソースに、前記ソースヘルパーに関する識別情報を伝達し、
パスを渡って前記マルチメディアサービスの記述サブストリームを受信し、
集約装置ヘルパーまたは集約装置のうちの少なくとも１つに、前記マルチメディアサービスの前記記述サブストリームを中継する
ように構成される処理システム、を備える、ソースヘルパー装置。
［Ｃ８１］
前記処理システムが、前記ソースから前記マルチメディアサービス中継の要求を受信した後に、前記ソースヘルパーが利用可能であるという確認を送るようにさらに構成される、Ｃ８０に記載のソースヘルパー装置。
【図１】
0005781691.tif 000002
【図２】
0005781691.tif 000003
【図３】
0005781691.tif 000004
【図４】
0005781691.tif 000005
【図５】
0005781691.tif 000006
【図６】
0005781691.tif 000007
【図７】
0005781691.tif 000008
【図８】
0005781691.tif 000009
【図９】
0005781691.tif 000010
【図１０】
0005781691.tif 000011